(57)【要約】【課題】所望の設計支援ツールの検索をより容易に行うことである。【解決手段】車両用設計支援ツール検索装置は、ディスプレイの画面５０の上でカーソル５２を用いて対話式で設計支援ツール（カプセル）の検索を行う。ディスプレイの画面５０には、開発段階名を特定するための３つのボタン６０と、設計目的名を特定するための２つのボタン７０と、この例ではドア周りを構成する各部位の外観を示す外観図８０と、カプセル一覧を示す一覧表９０とを含む。ユーザは３つのボタン６０の中の１つ、２つのボタン７０の中の１つ、外観図の中の部位の１つのように、順次カーソル５２を用いて検索キーを特定すると、特定された検索キーに従って多数のカプセルの中で絞り込みが行われ、その状況が一覧表９０に表示される。【選択図】図４
2005196495.tif 000002
【特許請求の範囲】
【請求項１】
車両又は車両の一部である製品の設計を支援する複数の設計支援ツールを格納する記憶装置であって、車両又は製品の開発段階名と、その設計目的名と、その設計要件名との中の少なくとも１つと、設計対象の部位名とを検索キーとして、検索キーに関連付けて各設計支援ツールを記憶する記憶装置と、
設計対象の部位名を含む複数の検索キーを取得する取得手段と、
取得手段によって取得した複数の検索キーの中から適宜検索キーを選んで記憶装置を再検索し、該当する設計支援ツールを絞り込む絞込手段と、
絞込手段と連動し、車両又は製品における設計対象の部位の位置と、設計支援ツールの絞り込み状況とをディスプレイに表示する出力手段と、
を備えることを特徴とする車両用設計支援ツール検索装置。
【請求項２】
請求項１に記載の車両用設計支援ツール検索装置において、
開発段階名は、車両又は製品の構造の計画から量産図面作成に至る開発の段階に応じた複数の開発段階名を含むことを特徴とする車両用設計支援ツール検索装置。
【請求項３】
請求項１に記載の車両用設計支援ツール検索装置において、
設計目的名は、車両又は製品の意匠をチェックする意匠チェック目的と、車両又は製品を構成する各部位の形状を生成する形状生成目的とを含むことを特徴とする車両用設計支援ツール検索装置。
【請求項４】
請求項１に記載の車両用設計支援ツール検索装置において、
設計要件名は、車両又は製品の操作性あるいは乗降性に関する人間工学要件と、車両又は製品の法規上の安全性に関する法規要件との中のいずれか１を含むことを特徴とする車両用設計支援ツール検索装置。
【請求項５】
請求項１に記載の車両用設計支援ツール検索装置において、
記憶装置は、さらに車両又は製品の仕様名を検索キーとして各設計支援ツールを記憶することを特徴とする車両用設計支援ツール検索装置。
【請求項６】
請求項１に記載の車両用設計支援ツール検索装置において、
取得手段は、ディスプレイ上に表示される検索キー特定用ボタンにより順次特定される複数の検索キーを取得することを特徴とする車両用設計支援ツール検索装置。
【請求項７】
車両又は車両の一部である製品の設計を支援する設計支援装置上で実行され、車両又は製品の開発段階名と、その設計目的名と、その設計要件名との中の少なくとも１つと、設計対象の部位名とを検索キーとして、検索キーに関連付けて複数の設計支援ツールを記憶する記憶装置から任意の設計支援ツールを検索する検索プログラムであって、
設計対象の部位名を含む複数の検索キーを取得する取得処理手順と、
取得処理手順によって取得した複数の検索キーの中から適宜検索キーを選んで記憶装置を再検索し、該当する設計支援ツールを絞り込む絞込処理手順と、
絞込処理手順と連動し、車両又は製品における設計対象の部位の位置と、設計支援ツールの絞り込み状況とをディスプレイに表示する出力処理手順と、
を実行することを特徴とする車両用設計支援ツール検索プログラム。
【発明の詳細な説明】
【技術分野】
【０００１】
本発明は車両用設計支援ツール検索装置に関し、特に車両又は車両の一部である製品の設計を支援する多数の設計支援ツールの中から所望の設計支援ツールを検索する車両用設計支援ツール検索装置に関する。
【背景技術】
【０００２】
車両はきわめて多数の構成要素からなり、その設計を行うにあたってはきわめて多数の設計支援ツール、すなわち設計支援ソフトを用いる。これら複数の設計支援ツールは、ときにカプセルと呼ばれることがあるが、このカプセルは記憶装置に格納される。ある部位の設計を行うときは、カプセル収納記憶装置から対応するカプセルを指定して呼び出し、そのカプセルの設計支援機能により自動作図や自動配置等を行う。所望のカプセルを呼び出すには、カプセル名を指定し、あるいは対象部位名を指定して行うことができる。
【発明の開示】
【発明が解決しようとする課題】
【０００３】
しかし、車両の設計に用いられるカプセルの数は極めて多く、また類似したカプセルも多く、所望のカプセルを選定するのに時間がかかる。例えば、ドア周り（ドアトリム）のカプセルの場合でも１００近くのカプセルが整備されているので、カプセル名を一々覚える事も困難であり、また同じ対象部位の設計であっても、設計の観点が異なるとそれに応じたカプセルを選定する必要がある。
【０００４】
例えば、同じ対象部位の設計について、開発の初期の段階に行う構造計画の設計支援に適したカプセルと、量産図面を生成する設計支援に適したカプセルとは異なってくる。また、車両の設計には、機構上の配置等からくる機構形状設計のほかに、意匠設計や、ユーザの操作性等を考慮する人間工学的設計、ユーザの安全確保のための法規を考慮する法規要件的設計等のさまざまな観点からの設計が行われ、それぞれの設計支援に適したカプセルが用いられる。
【０００５】
このように、複数の設計の観点を有し、複数の設計対象部位を有する車両又は車両の一部である製品の設計支援ツールの数はきわめて多数に上り、これらの中から所望の設計観点等に適したカプセルを選定するには一々リストを見ながら検索することを要する。したがって、設計者に不便で、そのために時間を要している。
【０００６】
本発明の目的は、かかる従来技術の課題を解決し、所望の設計支援ツールの検索をより容易に行うことができる車両用設計支援ツール検索装置及び車両用設計支援ツール検索プログラムを提供することである。本発明の他の目的は、所望の設計支援ツールの検索をいわゆるＧＵＩ（Ｇｒａｐｈｙｃａｌ  Ｕｓｅｒ  Ｉｎｔｅｒｆａｃｅ）環境のもとで対話式に行うことができる車両用設計支援ツール検索装置及び車両用設計支援ツール検索プログラムを提供することである。
【課題を解決するための手段】
【０００７】
本発明に係る車両用設計支援ツール検索装置は、車両又は車両の一部である製品の設計を支援する複数の設計支援ツールを格納する記憶装置であって、車両又は製品の開発段階名と、その設計目的名と、その設計要件名との中の少なくとも１つと、設計対象の部位名とを検索キーとして、検索キーに関連付けて各設計支援ツールを記憶する記憶装置と、設計対象の部位名を含む複数の検索キーを取得する取得手段と、取得手段によって取得した複数の検索キーの中から適宜検索キーを選んで記憶装置を再検索し、該当する設計支援ツールを絞り込む絞込手段と、絞込手段と連動し、車両又は製品における設計対象の部位の位置と、設計支援ツールの絞り込み状況とをディスプレイに表示する出力手段と、を備えることを特徴とする。
【０００８】
また、開発段階名は、車両又は製品の構造の計画から量産図面作成に至る開発の段階に応じた複数の開発段階名を含むことが好ましい。
【０００９】
また、設計目的名は、車両又は製品の意匠をチェックする意匠チェック目的と、車両又は製品を構成する各部位の形状を生成する形状生成目的とを含むことが好ましい。
【００１０】
また、設計要件名は、車両又は製品の操作性あるいは乗降性に関する人間工学要件と、車両又は製品の法規上の安全性に関する法規要件との中のいずれか１つを含むことが好ましい。
【００１１】
また、記憶装置は、さらに車両又は製品の仕様名を検索キーとして各設計支援ツールを記憶することが好ましい。
【００１２】
また、取得手段は、ディスプレイ上に表示される検索キー特定用ボタンにより順次特定される複数の検索キーを取得することが好ましい。
【００１３】
また、本発明に係る車両用設計支援ツール検索プログラムは、車両又は車両の一部である製品の設計を支援する設計支援装置上で実行され、車両又は製品の開発段階名と、その設計目的名と、その設計要件名との中の少なくとも１つと、設計対象の部位名とを検索キーとして、検索キーに関連付けて複数の設計支援ツールを記憶する記憶装置から任意の設計支援ツールを検索する検索プログラムであって、設計対象の部位名を含む複数の検索キーを取得する取得処理手順と、取得処理手順によって取得した複数の検索キーの中から適宜検索キーを選んで記憶装置を再検索し、該当する設計支援ツールを絞り込む絞込処理手順と、絞込処理手順と連動し、車両又は製品における設計対象の部位の位置と、設計支援ツールの絞り込み状況とをディスプレイに表示する出力処理手順と、を実行することを特徴とする。
【発明の効果】
【００１４】
上記構成の少なくとも１つにより、設計支援ツールの検索キーとして、開発段階名、設計目的名、設計要件名の中の少なくとも１つを設計対象の部位名とともに有する。したがって、設計対象の部位について、開発段階、設計目的、設計要素等の設計の観点からの検索をより容易に行うことができる。また、検索キーを用いて設計支援ツールを絞り込むのと連動し、その状況をディスプレイに表示する。したがって、いわゆるＧＵＩ環境のもとで対話式に検索を行うことができる。
【００１５】
また、上記構成の少なくとも１つにより、開発段階名は、開発の段階に応じた構造計画段階等の複数の開発段階名を含む。したがって、開発の進展段階に応じた所望の設計支援ツールをより容易に検索できる。
【００１６】
また、上記構成の少なくとも１つにより、設計目的名は、形状生成目的のほかに意匠チェック目的を含む。したがって、形状生成目的、意匠チェック目的のそれぞれの設計目的に応じた所望の設計支援ツールをより容易に検索できる。
【００１７】
また、上記構成の少なくとも１つにより、設計要件名は、人間工学要件、法規要件のいずれか１つを含む。したがって、車両又は車両の一部であるエンジンやドア周り等の製品について、操作性や安全性等のそれぞれの設計要件に応じた所望の設計支援ツールをより容易に検索できる。
【００１８】
また、上記構成の少なくとも１つにより、車両又は製品の仕様名を検索キーとする。車両又は製品には高級仕様や特別仕様等の区別がされることがあるが、上記構成により、仕様に応じた所望の設計支援ツールをより容易に検索できる。
【００１９】
また、上記構成の少なくとも１つにより、ディスプレイ上の検索キー特定用ボタンにより順次検索キーが特定され取得される。すなわち、ユーザはディスプレイ上の表示を用いて検索装置と対話しながら順次所望の検索キーを特定することができる。したがって、いわゆるＧＵＩ環境のもとで対話式に検索を行うことができる。
【発明を実施するための最良の形態】
【００２０】
以下に図面を用いて本発明に係る実施の形態につき詳細に説明する。以下では、設計支援の対象として、自動車のドア周り（ドアトリム）を説明するが、エンジンやボディ等、ドア周り以外の設計対象であってもよく、また自動車以外の車両であってもよい。また、設計支援検索装置は、独立した装置として説明するが、３次元ＣＡＤ装置等の設計支援装置そのものと一体として構成してもよく、また複数の設計支援装置とネットワーク等で接続する形態であってもよい。
【００２１】
図１は、車両用設計支援ツール検索装置１０のブロック図である。車両用設計支援ツール検索装置１０は、ＣＰＵ１２と、キーボード等の入力部１４と、ディスプレイ等の出力部１６と、設計支援ツールであるカプセルを格納する記憶装置１８とを含み、これらは内部バスにより相互に接続される。かかる構成の車両用設計支援ツール検索装置１０は、一般的なコンピュータにより得ることができる。入力部１４と出力部１６とを融合させて、ディスプレイ上でユーザがカーソル等を用いて入力を行う対話式の入出力機能とすることもできる。
【００２２】
ＣＰＵ１２は、入力部１４等から検索キーを取得する検索キー取得部２２と、検索キーに従って複数のカプセルの中から所望のカプセルを絞り込んで選択する絞り込み部２４と、絞り込みに連動しその状況をディスプレイに表示させる連動表示部２６とを含む。かかる機能は、ソフトウエアで実現でき、具体的には、対応する検索プログラムを実行することで実現できる。機能又は処理の一部をハードウエアにより実現することもできる。
【００２３】
図２は、記憶装置１８に格納される複数のカプセルの階層構造についてその一部を示す図である。車両用の複数の設計支援ツールは、車両を構成する要素を車両全体の上位レベルからサブアセンブリ等の中位レベル、サブアセンブリを構成する各部位等の下位レベルに階層に分けて収納される。具体的にドア周り（ドアトリム）に注目すると、ドアトリムはその上位階層のインテリアトリムに含まれ、下位階層においてそれを構成する各部位のためのカプセルに分けられる。ドアトリムまでの階層の識別は、例えば従来から用いられている部品コード等を用いてもよく、あるいは標準化された名称で識別することもできる。
【００２４】
ドアトリム以下の階層は、製品とチェックとに分けられる。チェックは、その部位の形状を生成するための設計支援ツールと、その部位に関する意匠のチェックの設計支援ツールとに分けられる。この階層は、設計目的による区分を行うものである。設計目的により識別される設計支援ツールは、その下位において、具体的なカプセル、すなわち設計支援ツール（ソフトウエア）ごとに分けられる。各カプセルは、カプセル番号とカプセル名により識別を行うことができる。したがって、各カプセルは、設計目的名を検索キーとして検索することができる。
【００２５】
図３は、設計目的名により区分された各カプセルについて、さらなる検索キーの様子を示す図である。図３は、ドアトリムの設計支援カプセルについての検索キーの階層の様子を示している。各カプセルは、設計目的名のほかに、開発段階名、設計要件名を検索キーとして検索することができる。設計要件名は、さらに要件１の名称、要件２の名称、部位名、仕様名の各階層を有する。
【００２６】
開発段階名は、開発の段階に応じたステップの名称である。図３の例では、ＳＴＥＰ１，ＳＴＥＰ２，ＳＴＥＰ３の３つの名称が検索キーである。例えば、車両又は車両の一部である製品の構造を決める構造計画段階をＳＴＥＰ１とし、生産技術上の課題を検討する技術検討段階をＳＴＥＰ２とし、量産図面を作成する量産図面段階をＳＴＥＰ３とすることができる。もちろんこれ以外の分け方でＳＴＥＰ１−３を定義してもよく、３段階以外の区分を行ってもよい。
【００２７】
設計要件名は、人間工学要件と形状チェックと法規要件の３つに区分する要件１と、用件をさらに細分する要件２との階層構造とできる。人間工学要件は、車両等に対するユーザの使いやすさの観点からの要件で、さらに操作系と乗降性の要件２に細分できる。形状チェックは、設計目標から見た部位の形状の観点からの要件である。法規要件は、車両等に対するユーザの保護のために定められている法規の観点からの要件で、例えば、エッジの大きさを規定してユーザの安全を確保する要件や、内側に向けた丸みを規定する内突Ｒ要件等に区分できる。図３では、人間工学要件の操作系の部分が示されている。
【００２８】
要件１、要件２の下位に、各部位が区分される。各部位は、設計対象の部位名であって、図３の例では、ドアトリムを構成する設計対象の各部位として、ハンドル、スイッチ、アームレストが示されている。部位によってはさらに仕様により細分される。図３の例では、スイッチがＡＧ（後述するアシストグリップ）の有無について区別され、それぞれ別々のカプセルとされる。
【００２９】
かかる構成におけるカプセルの検索手順を説明する。最初に検索プログラムを起動し、次にユーザは所望するカプセルの検索キーを入力部１４から入力し、これをＣＰＵ１２の検索キー取得部２２の機能により取得する。図３の例で、カプセル番号１１の「アシストグリップ有スイッチ配置」のカプセルを検索するには、もちろんカプセル番号又はカプセル名を覚えていればこれらを入力することで必要な検索キーを取得できる。カプセルの階層的な検索キーを用いて、「設計目的名＝意匠チェック」、「開発段階名＝ＳＴＥＰ１」、「設計要件名の要件１＝人間工学」、「設計要件名の要件２＝操作系」、「部位名＝スイッチ」、「仕様名＝ＡＧ有」と順次入力することで必要な検索キーを取得することができる。また、複数の検索キーをＡＮＤで結んで入力してもよい例えば、「（意匠チェック）ＡＮＤ（ＳＴＥＰ１）ＡＮＤ（人間工学）ＡＮＤ（操作系）ＡＮＤ（スイッチ）ＡＮＤ（ＡＧ有）」と入力することで必要な検索キーを取得することができる。
【００３０】
ついで、取得した検索キーを用いて記憶装置１８を検索し、多数のカプセルの中から該当するカプセルを絞り込む。具体的には、絞り込み部２４の機能により、記憶装置１８を検索する。上記の取得した検索キーの例では、いずれも「アシストグリップ有スイッチ配置」のカプセルが絞り込まれる。絞り込まれたカプセルは、出力部１６のディスプレイ等に表示され、ユーザの確認を待ち、特定され、例えば検索装置と設計支援装置とが一体のときは、特定されたカプセルが始動され、「アシストグリップ有スイッチ配置」の設計支援が行われる。絞込みは、取得された複数の検索キーの中から適宜検索キーを選んで記憶装置１８を再検索することで行うこともできる。
【００３１】
次に、入力部と出力部とを融合させ、ディスプレイ上において対話式でカプセルの検索を行う実施の形態につき、その検索の手順について図４−図９を用いて説明する。最初に、検索プログラムを起動する（起動工程）。例えば、「ドアトリム」関連のカプセルの検索プログラムを立ち上げる。図４は、ドアトリム検索プログラムが立ち上がったときのディスプレイの画面５０を示す図である。画面５０には、検索キーである開発段階名を特定するための３つのボタン６０と、設計目的名を特定するための２つのボタン７０と、ドアトリムを構成する各部位の外観を示す外観図８０と、カプセル一覧を示す一覧表９０とを含む。図４の例では、立ち上がった当初の画面５０にまだカプセル一覧が表示されていないが、ドアトリムのカプセル数が例えば１００程度もあるときは一覧表に表示しきれないからである。
【００３２】
つぎに、ユーザが３つの開発段階名のいずれかを特定し、特定された開発段階名を取得する（開発段階名取得工程）。具体的には、図４に示したカーソル５２を用い、ＳＴＥＰ１，ＳＴＥＰ２，ＳＴＥＰ３のいずれかのボタンにカーソル５２を移動させてクリックすることで、クリックされたところの開発段階名が特定され、検索キーとして取得される。この処理は、ＣＰＵ１２の検索キー取得部２２の機能により行われる。
【００３３】
図５において、ＳＴＥＰ１（６１）がクリックされ、そのボタンが浮き上がってそのことを表示している様子を示す。ここで、ドアトリム関連のカプセルの中で、ＳＴＥＰ１に関係するカプセルに絞り込みが行われる（開発段階絞込工程）。この処理は、ＣＰＵ１２の絞り込み部２４の機能により行われる。そして、その絞り込みに連動して、カプセルの一覧表にカプセルの絞り込み状況が表示される（開発段階表示工程）。すなわち、カプセルの一覧表のところには、ドアトリム関連のＳＴＥＰ１についてのカプセルの一覧表９１が表示される。関係するカプセル数が多く、一覧表のスペースに表示しきれない場合には、スクロール等で順次表示することができる。図５の例では、その一部として、カプセル番号４−９のカプセルがカプセル番号付きのカプセル名で表示されている。この処理は、ＣＰＵ１２の連動表示部２６の機能により行われる。
【００３４】
ついで、ユーザが２つの設計目的名のいずれかを特定し、特定された設計目的名を取得する（設計目的名取得工程）。具体的には、図４に示したカーソル５２を用い、デザインチェック、形状生成のいずれかのボタンにカーソル５２を移動させてクリックすることで、クリックされたところの設計目的名が検索キーとして取得される。この処理もＣＰＵ１２の検索キー取得部２２の機能により行われる。図５において、デザインチェック（７１）にカーソル５２が合わされてクリックされる様子が示される。ここで、デザインチェック（７１）をクリックすることで、その下位の階層の要件１が次の特定のためのボタンとして表示される。図５の例では、デザインチェック（７１）のそばに、人間工学、形状チェック、法規要件の３つのボタン７２が表示される様子が示される。
【００３５】
図６において、デザインチェック（７１）が特定され、そのボタンが浮き上がってそのことを表示している様子を示す。また、ＳＴＥＰ１からデザインチェックへと絞り込まれたので、これに対応して、デザインチェックに関係するカプセルにさらに絞り込みが行われる（設計目的絞込工程）。そして、絞り込みの状況がカプセルの一覧表９２に表示される。すなわち、カプセルの一覧表９２の中で該当しなくなったカプセルはシャドウが施されて絞り込みの様子が表示される（設計目的表示工程）。この処理もＣＰＵ１２の絞り込み部２４の機能により行われる。図６では、カプセル番号４，７，９が該当しなくなったカプセルであることを示している。これらの処理も、絞り込み部２４、連動表示部２６の機能により行われる。
【００３６】
つぎに、ユーザが３つの要件１のいずれかを特定し、特定された要件１を取得する（要件１取得工程）。具体的には、人間工学、形状チェック、法規要件デザインチェック、形状生成のいずれかのボタンにカーソル５２を移動させてクリックすることで、クリックされたところの要件１が検索キーとして取得される。この処理もＣＰＵ１２の検索キー取得部２２の機能により行われる。図６において、人間工学（７３）にカーソル５２が合わされてクリックされる様子が示される。ここで、人間工学（７３）をクリックすることで、その下位の階層の要件２が次の特定のためのボタンとして表示される。図６の例では、人間工学（７３）のそばに、操作系、乗降性の２つのボタン７４が表示される様子が示される。カプセルについても、人間工学に関するカプセルについてさらに絞り込みが行われ（要件１絞込工程）その絞り込み状況はカプセルの一覧表に表示される（要件１表示工程）。
【００３７】
ついで、要件２についてもユーザがカーソル５２を用いて特定し、特定された要件２を取得する（要件２取得工程）。ここでは図７に示すように操作系７５が特定され、そのボタンが浮き上がってそのことを表示している様子を示す。また、ここまででＳＴＥＰ１−デザインチェック−人間工学−操作系と絞り込まれたので、これに対応して、カプセルにさらに絞り込みが行われる（要件２絞込工程）。絞り込まれたカプセルの様子はカプセルの一覧表９４に示される（要件２表示工程）。
【００３８】
ここで要件２まで絞り込みが行われると、次に部位の特定の段階になる。すなわち、図７に示すように、検索キーとして、要件２の操作系、乗降性のいずれかが特定され取得されると、外観図８０において、ドアトリムを構成する各部位の名称が検索キーの特定用ボタン８１として表示される。この処理は、連動表示部２６の機能により行われる。したがって、ユーザは、カーソル５２を用いて所望の部位であるスイッチ８２を特定するボタンをクリックして特定し、スイッチ８２が検索キーとして取得される（部位取得工程）。
【００３９】
図８に、スイッチ８２が特定され、そのボタンが浮き上がってそのことを表示している様子を示す。また、ここまででＳＴＥＰ１−デザインチェック−人間工学−操作系−スイッチと絞り込まれたので、これに対応して、カプセルにさらに絞り込みが行われる（部位絞込工程）。絞り込まれたカプセルの様子はカプセルの一覧表９５に示される（部位表示工程）。図８では、カプセル番号１０，１１に絞り込まれた状況が示される。
【００４０】
ところで、スイッチには仕様による差異があるので、図８に示すように、スイッチ８２を特定すると、その仕様の特定のためのボタン８３が表示される。そこでカーソル５２を用い、仕様を特定し、特定された仕様を検索キーとして取得する（仕様取得工程）。
【００４１】
図９は、絞り込みが終了した最終の画面５０の様子を示す図である。ここでボタンは、ＳＴＥＰ１、デザインチェック、人間工学、操作系、スイッチ、アシストグリップ有が浮き上がって表示され、これらの検索キーが取得され、これらに従って検索が行われたことが示される。これに連動して、カプセルの一覧表９６には、カプセル番号１１が絞り込まれたことが示される。
【００４２】
このように、画面５０には、特定すべき検索キーの種類が表示され、これをユーザがカーソル５２を用いて選択することで検索キーの特定が行われ、特定された検索キーが取得される。そして取得した検索キーに従ってカプセルの絞り込みが行われ、絞り込みに連動して絞り込みの状況が画面に表示される。そして、検索キーの特定がされると、さらに下位の階層の検索キーを必要とするときは、次に特定すべき検索キーの種類が表示される。これを繰り返し、絞り込み状況の表示を見ながら、必要な段階まで検索キーの特定と取得を行ってカプセルの絞り込みを行うことができる。このように複数の検索キーの中から適宜検索キーを選び順次カプセルを再検索して絞り込みを行うことができる。したがって、ビジュアルな画面の指示に誘導されて、いわゆるＧＵＩ環境のもとで対話式に、所望のカプセルの検索を容易に行うことができる。
【図面の簡単な説明】
【００４３】
【図１】本発明に係る実施の形態における車両用設計支援ツール検索装置のブロック図である。
【図２】本発明に係る実施の形態におけるカプセルの階層構造についてその一部を示す図である。
【図３】本発明に係る実施の形態において、設計目的名により区分された各カプセルについて、さらなる検索キーの様子を示す図である。
【図４】本発明に係る実施の形態において、ドアトリム検索プログラムが立ち上がったときのディスプレイの初期画面を示す図である。
【図５】本発明に係る実施の形態において、検索キーの特定と取得、カプセルの絞り込み、絞り込みの状況の表示が行われている様子を示す図である。
【図６】本発明に係る実施の形態において、検索キーの特定と取得、カプセルの絞り込み、絞り込みの状況の表示が行われている一例を示す図である。
【図７】本発明に係る実施の形態において、検索キーの特定と取得、カプセルの絞り込み、絞り込みの状況の表示が行われている一例を示す図である。
【図８】本発明に係る実施の形態において、検索キーの特定と取得、カプセルの絞り込み、絞り込みの状況の表示が行われている一例を示す図である。
【図９】本発明に係る実施の形態において、絞り込みが終了した最終の画面の様子を示す図である。
【符号の説明】
【００４４】
１０  車両用設計支援ツール検索装置、１２  ＣＰＵ、１４  入力部、１６  出力部、１８  記憶装置、２２  検索キー取得部、２４  絞り込み部、２６  連動表示部、５０  画面、５２  カーソル、６０，７０，７２，７４，８１，８３  ボタン、６１  ＳＴＥＰ１、７１  デザインチェック、７３  人間工学、７５  操作系、８０  外観図、８２  スイッチ、９０，９１，９２，９４，９５，９６  カプセルの一覧表。
【図１】
2005196495.tif 000003
【図２】
2005196495.tif 000004
【図３】
2005196495.tif 000005
【図４】
2005196495.tif 000006
【図５】
2005196495.tif 000007
【図６】
2005196495.tif 000008
【図７】
2005196495.tif 000009
【図８】
2005196495.tif 000010
【図９】
2005196495.tif 000011